(57)【要約】      （修正有）【課題】花などを長持ちさせ、使ったブーケを長時間そのままの状態で保存しておく。【解決手段】プリザーブドフラワーをケースに入れることにより耐久性も増し、アレンジメントの中に光ファイバーを散りばめ光源ＬＥＤランプを使うことによってインテリアとしての価値も高くなる。また課題である熱量もほとんどなく消費電力もほとんどなく耐久性も格段に向上される。【選択図】図１
2005125727.tif 000002
【特許請求の範囲】
【請求項１】
ヒカリファイバーをアレンジしたプリザーブドブーケをガラスケースに入れ、高輝度ＬＥＤランプを照明に用いたインテリヤケース。
【請求項２】
ガラスケースにウェルカムミラーを背面板として囲まれたスペースにプリザーブドブーケを飾るケース。
【請求項３】
前記ガラスケースの一部が透明もしくは半透明とし、ＬＥＤランプを全面的に設置したインテリヤケース。
【請求項４】
前記ケースにファイバーをアレンジしたプリザーブドブーケをケースの空間に立体的に設置する。
【請求項５】
前記ケースのプリザーブドブーケにＬＥＤランプでブーケを光らせる。
【発明の詳細な説明】
【発明の詳細な説明】
【技術分野】
【００１】この発明はプリザーブドフラワーとソフトドライフラワーの立体的なブーケをランプケースに収めたり，ウェルカムボードを配置したりして、これらの装飾効果を高めるとともに半永久的にランプケースとして飾る。
【背景技術】
【００２】生花のブーケを立体的な形で保存する事が難しかった。
ブーケを保存する場合、押し花や、ドライ加工をして保存されてきた。
プリザーブドブーケが用いられているが保存方法にまだ問題が多い。ケースに入れることにより、より一層保存期間が長くなり、又ウェルカムボード、ＬＥＤランプにより装飾効果が高まり興味深いものとなる。又ウェルカムボードは額に入れて飾られていたが、ケースと一体化することにより平面から立体的へ、ブーケを引き立たせることが出来る。
【発明が解決しようとする課題】
【００３】従来生花をライトアップさせようとすると光量、照射時間に比例して多量の熱量が発生し花等を長持ちさせる事が出来なかった。又、使用したブーケを長時間そのままの状態で保存しておく事が出来なかった。
【００４】生花のブーケ保存は、立体的かつ長期的に保つことが難しく記念すべき、結婚式、記念日ブーケを無駄にせざるをえなかった。
【００５】この発明は、以上のような事情に鑑みてなされたものであり、プリザーブドフラワーを光ファイバーを散りばめ装飾性とんだランプケースにすることを目的とする。
【課題を解決する手段】
【００６】請求項−１に係わる発明はケースの空間にヒカリファイバーをアレンジしたプリザーブドフラワーとソフトドライフラワーに高輝度ＬＥＤを使用したガラス製等の透明板ケースに入れインテリアランプとして使用するものである。
【００７】請求項−２に係わる発明は請求項１記載のランプケースに於いてガラス製等の透明板ケースにウェルカムボードをはめ込んだケースとすることを特徴とする。
【００８】請求項３に係わる発明は請求項１又は請求項２記載において透明又は半透明その他シルエット、名前堀、時計の設置が出来、ブーケの退色を防ぐ為にＵＶカットガラス、又強化を図るために合わせガラス、破損を防ぐ為にアクリル板を使用できる。ケースにエアーブラシ等によるペイント、フィルム、シール、ステッカー製品などの物文字やイラスト写真を付着させる事も出来る。
【００９】請求項３に係わる発明はケース内のライティングは下部から直接超高輝度ＬＥＤによるライティングのほか光源の色を変化させたり（白−白熱灯の色、青、緑、七色に順番に変わる）ブラックライトを組み込んでそれに反応して発光する特殊塗料を使うことで又一味違う演出効果を出すことが出来る。
【０１０】請求項３に係わるライティングで特殊ファイバーを使用して上部、側面等他方向よりライティングする事も可能です。又発光ロッドを使用した場合ネオンのように曲面発光も出来、気泡の入った透明体にフルカラー照明等の照明を当てることにより、ケース内をより一層付加価値を付けることも出来る。
【０１１】請求個２、請求項３、に係わるガラスケース内に組み込まれたウェルカムボードは、ミラー、金属、アクリル等の樹脂製の反射板、タイル、石材、セラミック製品、木材製品、パネル製品、布製品、押し花、写真等、用途により変えることが出来る。
【０１２】請求項１、請求項２に係わるプリザーブドブーケとウェルカムボードは結婚式に使用し終了後ランプケースに収めライトアップし長期に思い出とともに楽しむことが出来る。
【０１３】請求項１に係わるアレンジしたプリザーブドブーケに花の香りをつける事が出来る。
【０１４】請求項１、請求項５に係わるプリザーブドフラワーをケースに入れることにより耐久性も増し、アレンジメントの中に光ファイバーを散りばめ光源ＬＥＤランプを使用することによってインテリアとして価値が高まる。又、課題である熱量も殆ど無く、消費電力も無く、耐久性も格段にも向上される。
【発明を実施するための最良の形態】
【０１５】以下、この発明の好適な実施形態について図面を参照しながら説明する。【０１６】図１、図２、図３、図４はこの発明の実施形態を示し、図はランプケースの各構成部分に分離して全体的な斜視図である。図１の１ａは記念ボードで背面よりはめ込み式にし戸びらの役目をする。１ｂは記念ボードの取り出しには下部のリボンを引く事により１ｃのボードがガイドのそって上昇する。
１ｄボードの下にはクッション材が敷いてある。１ｅの記念ボードの裏止めには補強を兼ねた背面板が使用されている。【０１７】図１の２，３，４は図３にて説明される。【０１８】図１の６は図２にて説明される。【０１９】図１の５は図４にて説明される。【０２０】図２はプリザーブドブーケ＆ソフトドライブーケの中にファイバーがアレンジされ又、取手の部にファイバーが収納された状態で入っている。【０２１】図３の１はケースの台座部分に当たり、台座の中には電気配線が組み込まれている。１ａは台座よりポールを立て、この中にブーケの取手部分が収納される。１ｂの台座とポールの接合部にはＬＥＤランプが組み込まれている。１ｃはＬＥＤランプが組み込まれ全体を明るく照らすとともに、ブーケのスポットライトとしての役目を果たす。１ｄは台座と全体のケースを受ける足で、ゴムで作られクッションとしての役目も果たす。１ｅはランプのスイッチ部分で電源はＡＣアダプターか電池で対応できる。１ｆはＡＣアダプタージャックと電池ボックス。【０２２】図４ケースの背面からの斜視図で透明板で四方を作り背面には記念ボードが組み込まれる。底は図３の上にかぶせる為空洞になっている。
【図１】
2005125727.tif 000003
【図２】
2005125727.tif 000004
【図３】
2005125727.tif 000005
【図４】
2005125727.tif 000006
【手続補正書】
【提出日】平成16年1月24日(2004.1.24)
【手続補正３】
【補正対象書類名】明細書
【補正対象項目名】図面の簡単な説明
【補正方法】追加
【補正の内容】
【図面の簡単な説明】【図１】 ランプケース入りプリザーブドブーケ全体の左上部よりの斜視図【図２】 プリザーブドフラワーで製作したブーケの透視図【図３】 ケース部分を乗せる台座の斜視図【図４】 ケース組み付け簡易図  【符号の説明】   １−ａ      記念行事などに使われた事を記録したボードやブーケなどのなかに入れたものの装飾かねたボード   １−ｂ     １−ａを取り出し易くする装具   １−ｃ     １−ａを取り出しガイド   １−ｄ      クッション材   １−ｅ      裏留兼補強材   ２          ケース内を照らすＬＥＤランプ   ３          ＬＥＤランプ   ４          ケースの台座   ５          透明板にて作られたケース   ６          プリザーブドフラワーで製作したブーケ   ２−ａ      ブーケの中に  組み込んだ光伝導体   ２−ｂ      ブーケの取手   ３−１ａ    ブーケの取手を  設置するポール   ３−１ｂ    ＬＥＤ光源ランプ   ３−１ｃ    ＬＥＤ光源ランプ設置台   ３−１ｄ    ゴム足   ３−１ｅ    スイッチ   ３−１ｆ    ＡＣアダプター接続端子   ３−１ｇ    乾電池用電源ボックス【手続補正４】
【補正対象書類名】図面
【補正対象項目名】全図
【補正方法】変更
【補正の内容】
2005125727.tif 000007
2005125727.tif 000008
2005125727.tif 000009
2005125727.tif 000010